【手続補正書】
【提出日】平成16年2月27日(2004.2.27)
【手続補正１】
【補正対象書類名】明細書
【補正対象項目名】特許請求の範囲
【補正方法】変更
【補正の内容】
【特許請求の範囲】
【請求項１】
原稿を載置する給紙台と、
読み取り終了後の原稿を積載する排紙皿と、
原稿読み取り位置を有する循環経路と、
前記給紙台から前記循環経路に原稿を供給するための供給経路と、
第１面を読み取り後の両面原稿および第１面と第２面を読み取り後の両面原稿をスイッチバックして表裏反転するための原稿表裏反転部と、
前記原稿読み取り位置を通過後に前記排紙皿に向かう片面原稿が通り、かつ、第１面と第２面を読み取り後のスイッチバック後に前記原稿読み取り位置を経由することなく前記排紙皿に向かう両面原稿が通る排出経路とを有する自動原稿供給装置、および、
前記循環経路の原稿読み取り位置において原稿画像情報を読み取る原稿読み取り手段と、
原稿の第１面を読み取る片面読み取りモードと前記原稿表裏反転部を作動させて原稿を循環せしめて第１面と第２面を読み取る両面読み取りモードとを選択するための原稿読み取りモード選択手段と、
画像形成を制御する制御手段とを有する画像形成装置本体を備えた画像形成装置であって、
前記給紙台には原稿が載置された状態で該原稿のサイズを検知するサイズ検知手段が設けられ、
前記制御手段は、画像形成開始信号を受けて前記サイズ検知手段により検知された原稿サイズ情報に基づき原稿画像情報を記憶するメモリ領域の設定、転写紙の選択のための前記画像形成装置本体の駆動、および、原稿画像読み取りのための原稿の給送を制御することを特徴とする画像形成装置。
【請求項２】
前記サイズ検知手段は、原稿の幅検知手段、及び長さ検知手段から構成されていることを特徴とする請求項１記載の画像形成装置。
【請求項３】
前記給紙台の下部に排紙皿を、さらにこの排紙皿の下部に前記原稿表裏反転部を設け、前記給紙台、前記排紙皿、及び前記原稿表裏反転部を前記循環経路の原稿読み取り位置に対して同じ側に位置せしめることを特徴とする請求項１または請求項２記載の画像形成装置。
【請求項４】
原稿を載置する給紙台と、
読み取り終了後の原稿を積載する排紙皿と、
原稿読み取り位置を有する循環経路と、
前記給紙台から前記循環経路に原稿を供給するための供給経路と、
第１面を読み取り後の両面原稿および第１面と第２面を読み取り後の両面原稿をスイッチバックして表裏反転するための原稿表裏反転部と、
前記原稿読み取り位置を通過後に前記排紙皿に向かう片面原稿が通り、かつ、第１面と第２面を読み取り後のスイッチバック後に前記原稿読み取り位置を経由することなく前記排紙皿に向かう両面原稿が通る排出経路とを有する自動原稿供給装置、および、
前記循環経路の原稿読み取り位置において原稿画像情報を読み取る原稿読み取り手段と、
原稿の第１面を読み取る片面読み取りモードと前記原稿表裏反転部を作動させて原稿を循環せしめて第１面と第２面を読み取る両面読み取りモードとを選択するための原稿読み取りモード選択手段と、
画像形成を制御する制御手段とを有する画像形成装置本体を備えた画像形成装置の制御方法であって、
前記給紙台には原稿が載置された状態で該原稿のサイズを検知するサイズ検知手段が設けられ、
前記制御手段により画像形成開始信号を受けて前記サイズ検知手段により検知された原稿サイズ情報に基づき原稿画像情報を記憶するメモリ領域の設定、転写紙の選択のための前記画像形成装置本体の駆動、および、原稿読み取りのための原稿の給送を制御することを特徴とする画像形成装置の制御方法。
【請求項５】
前記サイズ検知手段は、原稿の幅検知手段、及び長さ検知手段から構成されていることを特徴とする請求項４記載の画像形成装置の制御方法。
【請求項６】
前記原稿読み取りモード選択手段により両面読み取りモードが選択された場合は、前記制御手段は、前記循環経路の原稿読み取り位置にて第１面の画像が読み取られた原稿を前記原稿表裏反転部に搬入せしめるべく前記第１搬送方向切り替え手段を制御し、前記原稿表裏反転部に搬入された原稿を前記循環経路に搬出して前記原稿読み取り位置に表裏反転して搬送すべく前記第２搬送方向切り替え手段を制御し、前記原稿読み取り位置にて第２面の画像が読み取られた原稿を再び前記原稿表裏反転部に搬入せしめるべく前記第１搬送方向切り替え手段を制御し、前記原稿表裏反転部に再び搬入された原稿を前記循環経路に搬出したのち前記排紙皿に排紙すべく前記第２搬送方向切り替え手段を制御することを特徴とする請求項４または請求項５記載の画像形成装置の制御方法。
【請求項７】
前記給紙台には１頁目の表面が最上面になるように原稿が載置され、前記給紙台上に載置された原稿の１頁目の表面の画像から順次読み取りが行われるべく搬送され、両面の画像の読み取りが終了した原稿は前記排紙皿上に表面を下にして順次積載されるべく排紙されることを特徴とする請求項６記載の画像形成装置の制御方法。
【請求項８】
前記原稿表裏反転部が、前記循環経路から原稿を搬入するスイッチバック搬入経路、搬入された原稿をスイッチバックして表裏を反転するための表裏反転手段、および、表裏を反転された原稿を前記循環経路へ搬出するスイッチバック搬出経路とを有することを特徴とする請求項１記載の画像形成装置。
【請求項９】
前記原稿表裏反転部が、前記循環経路から原稿を搬入するスイッチバック搬入経路、搬入された原稿をスイッチバックして表裏を反転するための表裏反転手段、および、表裏を反転された原稿を前記循環経路へ搬出するスイッチバック搬出経路とを有することを特徴とする請求項４記載の画像形成装置の制御方法。
【手続補正２】
【補正対象書類名】明細書
【補正対象項目名】０００２
【補正方法】変更
【補正の内容】
【０００２】
【従来の技術】
画像形成装置には、例えば自動的に原稿を順次給送して両面の読み取りを行うことが可能な自動原稿給紙装置を備えるものがあり、自動原稿給紙装置として例えば特開平７−１７５２７９号公報に開示されている原稿処理機がある。この原稿処理機では、原稿の両面を読み取る場合には、まず原稿を給送して第１面を読み取って排紙皿に搬送され、排紙皿上でスイッチバック反転して原稿搬送経路に再び給送し、第２面を読み取って排紙皿に搬送される。更に、原稿を順次積載してもページ順序が揃うように第１面を下にして積載するように、再度排紙皿上でスイッチバック反転せしめて原稿搬送経路を経て排紙皿に排出し積載される。


【手続補正３】
【補正対象書類名】明細書
【補正対象項目名】０００３
【補正方法】変更
【補正の内容】
【０００３】
【発明が解決しようとする課題】
このように、原稿の両面を読み取る場合には、原稿を順次積載してもページ順序が揃うように第１面を下にして積載するように、再度排紙皿上でスイッチバック反転して原稿搬送経路を経て排紙皿に排出し積載され、原稿が原稿読み取り部を３回通過し、３回目の通過においては、原稿の読み取りを行わないにも拘らず原稿読み取り部を通過せしめるようにしているため、次の原稿を給送することができず、原稿読み取り速度の向上の弊害となっている。また、原稿搬送経路が長くなり、その分原稿の搬送時にかかる圧力や摩擦による原稿のダメージが大きくなる。さらに、原稿の読み取りを行わないにも拘らず原稿読み取り部を通過せしめ原稿読み取り部を通過する回数が増加するため、原稿読み取り部の清掃を頻繁に行う必要がある。


【手続補正４】
【補正対象書類名】明細書
【補正対象項目名】０００８
【補正方法】変更
【補正の内容】
【０００８】
請求項１記載の発明は、『原稿を載置する給紙台と、
読み取り終了後の原稿を積載する排紙皿と、
原稿読み取り位置を有する循環経路と、
前記給紙台から前記循環経路に原稿を供給するための供給経路と、
第１面を読み取り後の両面原稿および第１面と第２面を読み取り後の両面原稿をスイッチバックして表裏反転するための原稿表裏反転部と、
前記原稿読み取り位置を通過後に前記排紙皿に向かう片面原稿が通り、かつ、第１面と第２面を読み取り後のスイッチバック後に前記原稿読み取り位置を経由することなく前記排紙皿に向かう両面原稿が通る排出経路とを有する自動原稿供給装置、および、
前記循環経路の原稿読み取り位置において原稿画像情報を読み取る原稿読み取り手段と、
原稿の第１面を読み取る片面読み取りモードと前記原稿表裏反転部を作動させて原稿を循環せしめて第１面と第２面を読み取る両面読み取りモードとを選択するための原稿読み取りモード選択手段と、
画像形成を制御する制御手段とを有する画像形成装置本体を備えた画像形成装置であって、
前記給紙台には原稿が載置された状態で該原稿のサイズを検知するサイズ検知手段が設けられ、
前記制御手段は、画像形成開始信号を受けて前記サイズ検知手段により検知された原稿サイズ情報に基づき原稿画像情報を記憶するメモリ領域の設定、転写紙の選択のための前記画像形成装置本体の駆動、および、原稿画像読み取りのための原稿の給送を制御することを特徴とする画像形成装置。』である。


【手続補正５】
【補正対象書類名】明細書
【補正対象項目名】００１５
【補正方法】変更
【補正の内容】
【００１５】
請求項４記載の発明は、『原稿を載置する給紙台と、
読み取り終了後の原稿を積載する排紙皿と、
原稿読み取り位置を有する循環経路と、
前記給紙台から前記循環経路に原稿を供給するための供給経路と、
第１面を読み取り後の両面原稿および第１面と第２面を読み取り後の両面原稿をスイッチバックして表裏反転するための原稿表裏反転部と、
前記原稿読み取り位置を通過後に前記排紙皿に向かう片面原稿が通り、かつ、第１面と第２面を読み取り後のスイッチバック後に前記原稿読み取り位置を経由することなく前記排紙皿に向かう両面原稿が通る排出経路とを有する自動原稿供給装置、および、
前記循環経路の原稿読み取り位置において原稿画像情報を読み取る原稿読み取り手段と、
原稿の第１面を読み取る片面読み取りモードと前記原稿表裏反転部を作動させて原稿を循環せしめて第１面と第２面を読み取る両面読み取りモードとを選択するための原稿読み取りモード選択手段と、
画像形成を制御する制御手段とを有する画像形成装置本体を備えた画像形成装置の制御方法であって、
前記給紙台には原稿が載置された状態で該原稿のサイズを検知するサイズ検知手段が設けられ、
前記制御手段により画像形成開始信号を受けて前記サイズ検知手段により検知された原稿サイズ情報に基づき原稿画像情報を記憶するメモリ領域の設定、転写紙の選択のための前記画像形成装置本体の駆動、および、原稿読み取りのための原稿の給送を制御することを特徴とする画像形成装置の制御方法。』である。


【手続補正６】
【補正対象書類名】明細書
【補正対象項目名】００２０
【補正方法】変更
【補正の内容】
【００２０】
請求項６記載の発明は、『前記原稿読み取りモード選択手段により両面読み取りモードが選択された場合は、前記制御手段は、前記循環経路の原稿読み取り位置にて第１面の画像が読み取られた原稿を前記原稿表裏反転部に搬入せしめるべく前記第１搬送方向切り替え手段を制御し、前記原稿表裏反転部に搬入された原稿を前記循環経路に搬出して前記原稿読み取り位置に表裏反転して搬送すべく前記第２搬送方向切り替え手段を制御し、前記原稿読み取り位置にて第２面の画像が読み取られた原稿を再び前記原稿表裏反転部に搬入せしめるべく前記第１搬送方向切り替え手段を制御し、前記原稿表裏反転部に再び搬入された原稿を前記循環経路に搬出したのち前記排紙皿に排紙すべく前記第２搬送方向切り替え手段を制御することを特徴とする請求項４または請求項５記載の画像形成装置の制御方法。』である。


【手続補正７】
【補正対象書類名】明細書
【補正対象項目名】００２３
【補正方法】変更
【補正の内容】
【００２３】
この請求項７記載の発明によれば、原稿の表面が上にあるように給紙台上に載置できるため、ユーザは原稿の表面の画像を確認しながら画像形成を行うことが可能となり、かつ、両面画像の読み取りが終了した原稿を頁順を揃えた状態で排紙皿上に排出することが可能となるため、操作性が著しく向上する。
請求項８記載の発明は、『前記原稿表裏反転部が、前記循環経路から原稿を搬入するスイッチバック搬入経路、搬入された原稿をスイッチバックして表裏を反転するための表裏反転手段、および、表裏を反転された原稿を前記循環経路へ搬出するスイッチバック搬出経路とを有することを特徴とする請求項１記載の画像形成装置。』である。
請求項９記載の発明は、『前記原稿表裏反転部が、前記循環経路から原稿を搬入するスイッチバック搬入経路、搬入された原稿をスイッチバックして表裏を反転するための表裏反転手段、および、表裏を反転された原稿を前記循環経路へ搬出するスイッチバック搬出経路とを有することを特徴とする請求項４記載の画像形成装置の制御方法。』である。
この請求項８及び請求項９記載の発明によれば、原稿表裏反転部が、スイッチバック搬入経路、スイッチバック搬出経路とを有し、原稿を搬送する。
【手続補正８】
【補正対象書類名】明細書
【補正対象項目名】００２６
【補正方法】変更
【補正の内容】
【００２６】
原稿給紙部３の給紙台１０には、原稿２が積み重ねられてセット可能であり、給紙台１０の上流側にはエンプティセンサＳ１が配置され、原稿２の有無を検出する。給紙台１０の両側にはガイド板１１が原稿幅方向に移動可能に設けられ、ガイド板１１には原稿幅方向内側に延びるプレート１２が設けられている。


【手続補正９】
【補正対象書類名】明細書
【補正対象項目名】００３８
【補正方法】変更
【補正の内容】
【００３８】
原稿２を原稿給紙部３からレジスト部４へ送出し、このレジスト部４から原稿読み取り部６を経由して第１搬送方向切り換え手段５５の切り換えにより排紙皿７に至る第１搬送路Ａと、原稿給紙部３から原稿２をレジスト部４へ送出し、このレジスト部４から原稿読み取り部６を経由して第１搬送方向切り換え手段５５の切り換えにより第１面が読み取られた原稿２を原稿表裏反転部８へ搬送する第２搬送路Ｂと、原稿表裏反転部８にて反転された原稿２を第２搬送方向切り換え手段５６の切り換えによりレジスト部４へ送出して原稿読み取り部６へ循環して第２面を読み取り原稿表裏反転部８により反転されて第１搬送方向切り換え手段５５及び第２搬送方向切り換え手段５６の切り換えにより排紙皿７に至る第３搬送路Ｃとが備えられている。


【手続補正１０】
【補正対象書類名】明細書
【補正対象項目名】００５０
【補正方法】変更
【補正の内容】
【００５０】
このとき、原稿読み取りセンサＳ６が原稿２を検出しなくなると、所定時間ｔ７後にＤＣソレノイドＳＯＬ２を作動させて反転ローラ８０を所定時間ｔ８圧接させ、ＤＣモータＭ１を停止してから所定時間ｔ９後に反転ローラ８０を逆転させ、レジスト部４へ原稿２を送る。この原稿２の反転で反転検出センサＳ７、レジストセンサＳ５が原稿２を検出し、レジストクラッチ４０が再度作動し、レジストローラ４１により原稿２の位置決めが行われると共に、所定の搬送タイミングで原稿２を搬送する。


【手続補正１１】
【補正対象書類名】明細書
【補正対象項目名】００５５
【補正方法】変更
【補正の内容】
【００５５】
自動原稿供給装置１は、原稿給紙部３の給紙台１０には原稿サイズ検知センサＳが設けられており、原稿２が載置されると直ちに原稿サイズが検知され、原稿読取制御部２０に原稿サイズがセットされる。原稿２が図１に示すように第１面を上向きにセットされ、操作パネル上のコピー釦が押されると、読み取りスタートスイッチＳＷ１が作動し、その信号を受けて図６のフローチャートがスタートする。原稿給紙部３にセットされた原稿のうち上側の原稿２を分離してレジスト部４へ給紙する（ステップａ）。


【手続補正１２】
【補正対象書類名】明細書
【補正対象項目名】００５６
【補正方法】変更
【補正の内容】
【００５６】
次に、原稿２がレジストローラ４１にレジストされたことを検知すると、両面読み取りモードか否かの判断が行われ（ステップｂ）、両面読み取りモードでない場合には、片面読み取りモードである。片面読み取りモードにおいて、原稿２を供給経路ＰＳ２から循環経路ＰＳ１の原稿読み取り位置Ｐ１に備えられる原稿読み取り部６へ送り（ステップｃ）、原稿給紙部３に積み重ねられた原稿２の有無をエンプティセンサＳ１の情報に基づき検出し（ステップｄ）、原稿給紙部３に積み重ねられた次の原稿２がある場合には、ステップａに移行して順次原稿読み取り部６へ原稿２を送り第１面を読み取り、原稿読み取り部６より下流側において排紙皿７に排紙する。


【手続補正１３】
【補正対象書類名】明細書
【補正対象項目名】００６２
【補正方法】変更
【補正の内容】
【００６２】
原稿表裏反転部８から送出される原稿２は第１面の読み取りを終えた原稿２か、第２面の読み取りを終えた原稿２かの情報に従って制御部２０により制御された第２搬送方向切り換え手段５６により搬送路が切り換えられ、原稿の搬送方向が決められる。第１面の読み取りを終えた原稿２の場合は、第２搬送方向切り換え手段５６は第３搬送路Ｃの循環路側へ切り換えられており、原稿２は第３搬送路Ｃの循環路を経て第２面の読み取りのためにレジスト部４へ搬送される。第２面の読み取りを終えた原稿２の場合は、第２搬送方向切り換え手段５６は排紙皿７側へ切り換えられており、原稿２は搬送されて排紙皿７に排紙される。この時、原稿２は再度反転されるため原稿２は第１面が下向きで排紙皿７に排紙される。これにより排紙される原稿２は片面原稿および両面原稿のいずれも第１面が下向きで排紙皿７上に積載されるために原稿２の順序が変わることなく排紙皿７上に積載される。また、最終面が片面の時は、第１面目の原稿読み取り直後、両面の時は第２面目の原稿表裏反転部の原稿２の検出後、次原稿２の有無が判定され、次原稿２がある場合には次原稿２の給紙がスタートされ、１枚目の原稿と同様に搬送される。次原稿２がない場合は原稿の排出が終了すると停止する。


【手続補正１４】
【補正対象書類名】明細書
【補正対象項目名】００７２
【補正方法】変更
【補正の内容】
【００７２】
請求項７記載の発明では、給紙台には１頁目の表面が最上面になるように原稿が載置され、給紙台上に載置された原稿の１頁目の表面の画像から順次読み取りが行われるべく搬送され、両面の画像の読み取りが終了した原稿は排紙皿上に表面を下にして順次積載されるべく排紙されるから、原稿の表面が上にあるように給紙台上に載置できるため、ユーザは原稿の表面の画像を確認しながら画像形成を行うことが可能となり、かつ、両面画像の読み取りが終了した原稿を頁順を揃えた状態で排紙皿上に排出することが可能となるため、操作性が著しく向上する。
請求項８及び請求項９では、原稿表裏反転部が、循環経路から原稿を搬入するスイッチバック搬入経路、搬入された原稿をスイッチバックして表裏を反転するための表裏反転手段、および、表裏を反転された原稿を循環経路へ搬出するスイッチバック搬出経路とを有し、原稿を搬送する。
【手続補正１５】
【補正対象書類名】図面
【補正対象項目名】図１
【補正方法】変更
【補正の内容】
【図１】
1999072976.tif 000001
【手続補正１６】
【補正対象書類名】図面
【補正対象項目名】図４
【補正方法】変更
【補正の内容】
【図４】
1999072976.tif 000002